(57)【要約】【課題】  データを受信した機器が、ノイズ画を表示したり、スピーカを破壊してしまうような異常音を出力することを防止する。【解決手段】  データ記録再生メディア機器２０は、停止状態（Ｓｔｏｐ）から再生状態（ＰＢ）へと動作モードを遷移させ、記録媒体に記録されているデータを出力開始する場合には、ＤＩＦモード（ディジタル入出力モード）がＩＮからＯＵＴになると、自らの出力プラグにおけるブロードキャストコネクションカウンタ又はポイント・トゥ・ポイント・コネクションカウンタを０から１に設定してコネクション接続状態とする。そして、データ記録再生メディア機器２０は、ミュート解除前に、ｔｆ＝１のＤＩＴを１つだけ挿入する。【選択図】  図４
2010263650.tif 000002
【特許請求の範囲】
【請求項１】
複数の電子機器が接続されて構築されたネットワーク上でデータ送受信を行う際に、データをＭＰＥＧ（Moving Picture Experts Group）データパケット化し、トランスポートストリームとして伝送するデータ伝送方法であって、
記録媒体に対して記録及び／又は再生するデータのコンテンツのデータの変わり目を検出し、検出されたデータの変わり目に非連続情報データとしてのＤＩＴ（Discontinuity Information Table）を挿入し、ＩＥＥＥ（Institute of Electrical and Electronics Engineers）１３９４規格にて伝送するようにし、
上記ネットワーク上の他の電子機器が使用しているチャンネルを強制的に切り換えて上記記録媒体に記録されたデータを出力する際に、このデータに上記非連続情報データとしてのＤＩＴを挿入する
データ伝送方法。
【請求項２】
複数の電子機器が接続されて構築されたネットワーク上でデータ送受信を行う際に、データをＭＰＥＧ（Moving Picture Experts Group）データパケット化し、トランスポートストリームとして伝送する電子機器であって、
記録媒体に記録されたデータの非連続情報データとしてのＤＩＴ（Discontinuity Information Table）を生成する生成手段を備え、
上記生成手段は、上記データのコンテンツのデータの変わり目に、上記データに生成した上記ＤＩＴを挿入し、ＩＥＥＥ（Institute of Electrical and Electronics Engineers）１３９４規格にて伝送するようにし、上記ネットワーク上の他の電子機器が使用しているチャンネルを強制的に切り換えて上記記録媒体に記録されたデータを出力する際に、このデータに上記非連続情報データとしてのＤＩＴを挿入する
電子機器。
【請求項３】
上記記録媒体に記録されたデータのコンテンツの変わり目を検出する検出手段を備える請求項２記載の電子機器。
【請求項４】
上記生成手段は、上記データの出力開始時に、上記データに上記非連続情報データとしてのＤＩＴを挿入する請求項２記載の電子機器。
【請求項５】
上記生成手段は、上記データの出力停止時に、上記データに上記非連続情報データとしてのＤＩＴを挿入する請求項２記載の電子機器。
【請求項６】
上記生成手段は、上記データの可変速再生への遷移時に、上記データに上記非連続情報データとしてのＤＩＴを挿入する請求項２記載の電子機器。
【請求項７】
上記生成手段は、上記データのコンテンツが切り換わる際に、上記非連続情報データとしてのＤＩＴを挿入する請求項２記載の電子機器。
【請求項８】
上記生成手段は、上記データの記録開始時に、上記データに上記非連続情報データとしてのＤＩＴを挿入する請求項２記載の電子機器。
【請求項９】
上記生成手段は、上記データの記録停止時に、上記データに上記非連続情報データとしてのＤＩＴを挿入する請求項２記載の電子機器。
【請求項１０】
上記記録媒体は、テープ状記録媒体である請求項２記載の電子機器。
【請求項１１】
上記記録媒体は、円盤状記録媒体である請求項２記載の電子機器。
【発明の詳細な説明】
【技術分野】
【０００１】
本発明は、複数の電子機器が接続されたネットワークにおいてデータを送受信するデータ伝送方法及び電子機器に関する。
【背景技術】
【０００２】
近年、例えばディジタル衛星放送向けのセットトップ・ボックスといった外部通信用のポートを備える各種機器を相互に接続し、ネットワークを構築して使用することが考えられている。
【０００３】
このようなネットワークシステムにおいては、各機器がシリアルバス等のネットワークケーブルを介して、ＭＰＥＧ（Moving Picture Experts Group）データ等をパケット化し、トランスポートストリームとして伝送する。
【０００４】
従来技術として、特許文献１、２が知られている。
【先行技術文献】
【特許文献】
【０００５】
【特許文献１】特開平９−１８６９６８号公報
【特許文献２】特開平１０−１５４３７３号公報
【発明の概要】
【発明が解決しようとする課題】
【０００６】
ところで、上述したネットワークシステムにおいては、データの変わり目といったストリームの非連続ポイントを他の機器に通知するようなサポートがなされていなかった。
【０００７】
そのため、このようなネットワークシステムにおいては、任意の機器間で通信を行う際に、受信側の機器におけるデマルチプレクサやデコーダに対して、例えば時間軸が変化するような予測不可能な異常なストリームが突然入力された場合に、デマルチプレクサやデコーダ等の各部がハングアップしてしまうといった問題を生じることがあった。また、このようなネットワークシステムにおいては、異常なストリームを受信した機器が、ノイズ画を表示したり、スピーカを破壊してしまうような異常音を出力してしまうといった問題があった。
【０００８】
本発明は、このような実情に鑑みてなされたものであり、従来のネットワークシステムにおいて、データを受信した機器が、ノイズ画を表示したり、スピーカを破壊してしまうような異常音を出力することがないデータを送受信するデータ伝送方法及び電子機器を提供することを目的とするものである。
【課題を解決するための手段】
【０００９】
上述した目的を達成するために、本発明にかかるデータ伝送方法は、複数の電子機器が接続されて構築されたネットワーク上でデータ送受信を行う際に、データをＭＰＥＧ（Moving Picture Experts Group）データパケット化し、トランスポートストリームとして伝送するデータ伝送方法であって、記録媒体に対して記録及び／又は再生するデータのコンテンツのデータの変わり目を検出し、検出されたデータの変わり目に非連続情報データとしてのＤＩＴ（Discontinuity Information Table）を挿入し、ＩＥＥＥ（Institute of Electrical and Electronics Engineers）１３９４規格にて伝送するようにし、上記ネットワーク上の他の電子機器が使用しているチャンネルを強制的に切り換えて上記記録媒体に記録されたデータを出力する際に、このデータに上記非連続情報データとしてのＤＩＴを挿入する。
【００１０】
また、上述した目的を達成するために、本発明にかかる電子機器は、複数の電子機器が接続されて構築されたネットワーク上でデータ送受信を行う際に、データをＭＰＥＧ（Moving Picture Experts Group）データパケット化し、トランスポートストリームとして伝送する電子機器であって、記録媒体に記録されたデータの非連続情報データとしてのＤＩＴ（Discontinuity Information Table）を生成する生成手段を備え、上記生成手段は、上記データのコンテンツのデータの変わり目に、上記データに生成した上記ＤＩＴを挿入し、ＩＥＥＥ（Institute of Electrical and Electronics Engineers）１３９４規格にて伝送するようにし、上記ネットワーク上の他の電子機器が使用しているチャンネルを強制的に切り換えて上記記録媒体に記録されたデータを出力する際に、このデータに上記非連続情報データとしてのＤＩＴを挿入する。
【発明の効果】
【００１１】
本発明にかかるデータ伝送方法は、シリアルバスインターフェースにより複数の電子機器が接続されて構築されたネットワーク上でデータ送受信を行うデータ伝送方法であって、記録媒体に対して記録及び／又は再生するデータのコンテンツの時間軸が変化する際に、データに非連続情報データを挿入することによって、このデータを外部へと出力した際に、このデータを受信した電子機器が、データのコンテンツの時間軸が変化していることを知ることができ、各部がハングアップしてしまうことを回避することが可能となるとともに、ノイズ画を表示したり、スピーカを破壊してしまうような異常音を出力することも回避可能となる。
【００１２】
また、本発明にかかる電子機器は、シリアルバスインターフェースにより複数の電子機器が接続されて構築されたネットワーク上でデータ送受信を行う電子機器であって、記録媒体に記録されたデータの非連続情報データを生成する生成手段を備え、データのコンテンツの時間軸が変化する際に、データに、この生成手段により生成した非連続情報データを挿入するため、このデータを外部へと出力した際に、このデータを受信した他の電子機器が、データのコンテンツの時間軸が変化していることを知ることができ、各部がハングアップしてしまうことを回避することができるとともに、ノイズ画を表示したり、スピーカを破壊してしまうような異常音を出力することも回避することができる。
【図面の簡単な説明】
【００１３】
【図１】本発明の実施の形態として示すＩＥＥＥ１３９４ネットワークの構成を説明するブロック図である。
【図２】同ＩＥＥＥ１３９４ネットワーク上のデータ記録再生メディア機器の構成を説明するブロック図である。
【図３】同ＩＥＥＥ１３９４ネットワーク上のチューナ機器の構成を説明するブロック図である。
【図４】データ記録再生メディア機器が停止状態から再生状態へと遷移する場合におけるＤＩＴ挿入に関するタイミングチャートである。
【図５】データ記録再生メディア機器が停止状態から再生状態へと遷移する場合にＤＩＴを挿入する際の一連の工程を説明するフローチャートである。
【図６】ＤＩＴが挿入されたストリームを受信する際のチューナ機器における一連の工程を説明するフローチャートである。
【図７】データ記録再生メディア機器が再生状態から停止状態へと遷移する場合におけるＤＩＴ挿入に関するタイミングチャートである。
【図８】データ記録再生メディア機器が再生状態から停止状態へと遷移する場合にＤＩＴを挿入する際の一連の工程を説明するフローチャートである。
【図９】データ記録再生メディア機器が、使用されているチャンネルを乗っ取り出力する場合におけるＤＩＴ挿入に関するタイミングチャートである。
【図１０】データ記録再生メディア機器が、チューナ機器が使用しているチャンネルを乗っ取り出力する場合にＤＩＴを挿入する際の一連の工程を説明するフローチャートである。
【図１１】データ記録再生メディア機器から出力されたストリームが可変速再生に対応できない場合にＤＩＴを挿入する際のデータ記録再生メディア機器における一連の工程を説明するフローチャートである。
【図１２】２つの互いに異なるディジタルコンテンツが連続してデータ記録再生メディア機器の記録媒体に記録されている場合におけるＤＩＴ挿入に関するタイミングチャートである。
【図１３】ディジタルコンテンツとアナログコンテンツと未記録部分とが混在してデータ記録再生メディア機器の記録媒体に記録されている場合におけるＤＩＴ挿入に関するタイミングチャートである。
【図１４】ディジタルコンテンツとアナログコンテンツと未記録部分とが混在してデータ記録再生メディア機器の記録媒体に記録されている場合にＤＩＴを挿入する際のデータ記録再生メディア機器における一連の工程を説明するフローチャートである。
【発明を実施するための形態】
【００１４】
以下、本発明を適用した具体的な実施の形態について図面を参照しながら詳細に説明する。
【００１５】
本発明を適用した実施の形態は、図１に示すように、ＩＥＥＥ（The Institute of Electrical and Electronics Engineers, Inc.）によって承認されたIEEE Std. 1394-1995 IEEE Standard for a High Performance serial Bus規格（以下、ＩＥＥＥ１３９４と略称する。）に準拠したＩＥＥＥ１３９４シリアルバス６０により、複数の電子機器が接続されたネットワーク（以下、ＩＥＥＥ１３９４ネットワークと称する。）１０である。なお、ここでは、ＩＥＥＥ１３９４ネットワーク上のデータ記録再生メディア機器２０とチューナ機器４０の２つの電子機器を対象とし、これらの２つの電子機器間でデータ送受信を行うものとする。
【００１６】
以下の説明において、データ記録再生メディア機器２０は、例えば、いわゆるディジタル・ビデオ・ホーム・システム（Digital Video Home System；Ｄ−ＶＨＳ）方式のビデオ・テープ・レコーダ（Video Tape Recorder；ＶＴＲ）、オーディオ・ビジュアル・ハードディスクドライブ（Audio Visual Hard Disk Drive；ＡＶ−ＨＤＤ）或いはディジタル・ビデオ・ディスク（Digital Video Disk；ＤＶＤ）といった電子機器であるものとする。データ記録再生メディア機器２０は、いわゆるＭＰＥＧ（Moving Picture Experts Group）方式により圧縮されたＭＰＥＧデータを図示しない記録媒体であるテープやディスクに記録するとともに、この圧縮されたＭＰＥＧデータを伸張して再生出力するものである。
【００１７】
一方、チューナ機器４０は、例えば、ディジタル衛星放送向けの統合受信復調装置（Integrated Receiver Decorder）やディジタル・テレビ（Digital Television；ＤＴＶ）等のチューナ機能を備えた電子機器であり、ＭＰＥＧデータを送受信するものとする。
【００１８】
ＩＥＥＥ１３９４ネットワーク１０においては、データ記録再生メディア機器２０にて再生してパケット化したＭＰＥＧデータをトランスポートストリーム（以下、ＭＰＥＧ−ＴＳと略記する。）としてチューナ機器４０へと送信し、受信したＭＰＥＧ−ＴＳをチューナ機器４０にてアンパケット化して伸張する。また、ＩＥＥＥ１３９４ネットワーク１０においては、チューナ機器４０にて受信してパケット化したＭＰＥＧ−ＴＳをデータ記録再生メディア機器２０へと送信し、受信したＭＰＥＧ−ＴＳをデータ記録再生メディア機器２０にてアンパケット化して記録媒体に記録する。
【００１９】
このようなデータ記録再生メディア機器２０及びチューナ機器４０は、それぞれ、図２及び図３に示すような各部を備える。
【００２０】
すなわち、データ記録再生メディア機器２０は、図２に示すように、記録媒体に対するデータの記録及び／又は再生の動作を制御する記録再生制御部２１と、記録媒体に記録されているデータの変わり目を検出する検出手段であるデータ検出部２２と、外部とのデータのインターフェースを行うＩＥＥＥ１３９４インターフェース（以下、ＩＥＥＥ１３９４Ｉ／Ｆと略記する。）２３と、各部を制御するとともに、後述する非連続情報データを生成する生成手段としての機能を有する制御マイコン２４とを備える。
【００２１】
記録再生制御部２１は、後述する制御マイコン２４の制御のもとに、テープやディスク等の記録媒体に対するデータの記録及び／又は再生の動作を制御する。すなわち、記録再生制御部２１は、例えば、記録媒体であるテープの動作の制御や、記録媒体に記録されているデータの再生及び可変速再生といった再生動作の制御や、再生しているデータの停止及び一時停止といった停止動作の制御や、記録媒体に対するデータの記録及び一時記録停止といった記録動作の制御を行うための制御信号を制御マイコン２４から受信し、記録媒体の動作を制御する。
【００２２】
データ検出部２２は、異なるデータの境界やアナログデータとディジタルデータとの境界といった記録媒体に記録されているデータの変わり目を検出して、制御マイコン２４にその検出結果を送信する。
【００２３】
ＩＥＥＥ１３９４Ｉ／Ｆ２３は、データのパケット分割及びパケット化されたデータのアンパケット化等の処理を施すリンクＩＣ２５と、このリンクＩＣ２５とＩＥＥＥ１３９４シリアルバス６０との間で電気信号のビット列としてデータの受け渡しを行うフィジカル・レイヤ２６とを有する。
【００２４】
リンクＩＣ２５は、記録媒体から再生されるデータをミュートするか否かにより切り換えられる切換スイッチ２７と、データを記録するか再生するかに応じて切り換えられる切換スイッチ２８と、記録再生するデータを一時記憶することにより、制御マイコン２４から受信した後述するデータの非連続情報データ（Discontinuity Information Table；以下、ＤＩＴと略記する。）をデータに挿入するためのバッファの役割を果たすメモリ２９と、記録媒体から再生したデータをパケット化してＭＰＥＧ−ＴＳとする１３９４パケット化部３０と、外部から受信したＭＰＥＧ−ＴＳのパケット化を解く１３９４アンパケット化部３１と、物理層であるフィジカル・レイヤ２６とのインターフェースであるフィジカルＩ／Ｆ３２とを有する。
【００２５】
ＩＥＥＥ１３９４Ｉ／Ｆ２３は、ＩＥＥＥ１３９４シリアルバス６０を介して外部から伝送されてきたＭＰＥＧ−ＴＳを受信するとともに、記録媒体に記録されているデータに処理を施してＭＰＥＧ−ＴＳとしてＩＥＥＥ１３９４シリアルバス６０に流し、外部へと送信する。
【００２６】
制御マイコン２４は、上述した記録再生制御部２１、データ検出部２２、ＩＥＥＥ１３９４Ｉ／Ｆ２３を制御する。すなわち、制御マイコン２４は、記録再生制御部２１に対して、上述した記録媒体の動作を制御するための制御信号を送信して制御する。また、制御マイコン２４は、データ検出部２２からデータの変わり目を検出した結果を受信する。さらに、制御マイコン２４は、動作モードに応じて切換スイッチ２７，２８を制御するとともに、データの送信、受信或いは同時送受信状態を決定してメモリ２９に対するデータの入出力制御のための制御信号を送信して制御する。さらにまた、制御マイコン２４は、メモリ２９に保持されているデータを消去するための制御信号や、データに挿入するＤＩＴを、メモリ２９に送信して制御する。また、制御マイコン２４は、決定した送受信方向にしたがって、ＩＥＣ（International Electrotechnical Commission；国際電気標準会議）６１８８３にしたがったコネクションマネージメントに準拠して、１３９４パケット化部３０及び１３９４アンパケット化部３１に対して機器間の論理的な接続及び切断を管理するコネクション制御のための制御信号を送信して制御する。
【００２７】
このようなデータ記録再生メディア機器２０は、ＩＥＥＥ１３９４シリアルバス６０を介して外部からＭＰＥＧ−ＴＳを受信して上述した各種処理を施し、データを記録媒体に記録するとともに、記録媒体に記録されているデータを再生して各種処理を施し、得られたＭＰＥＧ−ＴＳをＩＥＥＥ１３９４シリアルバス６０を介して外部へと送信する。
【００２８】
一方、チューナ機器４０は、図３に示すように、外部とのデータのインターフェースを行うＩＥＥＥ１３９４Ｉ／Ｆ４１と、外部から受信した多重化されたデータを複数の信号に分離するとともに、データの時間軸の変わり目を検出する検出手段としての機能を有するデマルチプレクサ４２と、受信したデータをデコードするデコーダ４３と、ＩＥＥＥ１３９４シリアルバス６０ではなく、ディジタル衛星放送等の他の通信媒体を介して受信したデータの同調をとる同調手段であるチューナ部４４と、動作モードに応じてデマルチプレクサ４２とチューナ部４４とを選択して接続する切換スイッチ４５と、各部を制御するとともに、上述した非連続情報データであるＤＩＴを生成する生成手段としての機能を有する制御マイコン４６とを備える。
【００２９】
ＩＥＥＥ１３９４Ｉ／Ｆ４１は、リンクＩＣ４８とＩＥＥＥ１３９４シリアルバス６０との間で電気信号のビット列としてデータの受け渡しを行うフィジカル・レイヤ４７と、データのパケット分割及びパケット化されたデータのアンパケット化等の処理を施すリンクＩＣ４８とを有する。
【００３０】
リンクＩＣ４８は、物理層であるフィジカル・レイヤ４７とのインターフェースであるフィジカルＩ／Ｆ４９と、チューナ部４４で受信したデータをパケット化してＭＰＥＧ−ＴＳとする１３９４パケット化部５０と、ＩＥＥＥ１３９４シリアルバス６０を介して外部から受信したＭＰＥＧ−ＴＳのパケット化を解く１３９４アンパケット化部５１と、受信したデータを一時記憶することにより、制御マイコン４６から受信したＤＩＴをデータに挿入するためのバッファの役割を果たすメモリ５２と、ＩＥＥＥ１３９４シリアルバス６０を介して受信したデータをデコードするかチューナ部４４で受信したデータを図示しないモニタやスピーカ、図示しないアナログデータを扱うＶＴＲ或いは外部へと出力するかに応じて切り換えられる切換スイッチ５３と、ＩＥＥＥ１３９４シリアルバス６０を介して受信したデータ或いはチューナ部４４で受信したデータをミュートするか否かにより切り換えられる切換スイッチ５４とを有する。
【００３１】
ＩＥＥＥ１３９４Ｉ／Ｆ４１は、ＩＥＥＥ１３９４シリアルバス６０を介して外部から伝送されてきたＭＰＥＧ−ＴＳを受信するとともに、チューナ部４４で受信したデータに処理を施してＭＰＥＧ−ＴＳとしてＩＥＥＥ１３９４シリアルバス６０に流し、外部へと送信する。
【００３２】
デマルチプレクサ４２は、外部から受信した多重化されたデータを複数の信号に分離する。そして、デマルチプレクサ４２は、分離して得られた異なるデータの境界やアナログデータとディジタルデータとの境界といったデータの変わり目を検出して、制御マイコン４６にその検出結果を送信する。
【００３３】
デコーダ４３は、デマルチプレクサ４２で分離されたデータをデコードする。
【００３４】
チューナ部４４は、衛星放送等の他の通信媒体を介してデータを受信し、同調をとる。チューナ部４４は、制御マイコン４６の制御のもとに、チューニング制御を行う。
【００３５】
切換スイッチ４５は、制御マイコン４６の制御のもとに、デマルチプレクサ４２とチューナ部４４とを選択して接続し、データの経路を切り換える。すなわち、切換スイッチ４５は、ＩＥＥＥ１３９４シリアルバス６０を介して受信したデータをデコードする場合には、デマルチプレクサ４２と接続する。また、切換スイッチ４５は、チューナ部４４で受信したデータをモニタやスピーカ、ＶＴＲ或いは外部へと出力する場合には、チューナ部４４と接続する。
【００３６】
制御マイコン４６は、上述したＩＥＥＥ１３９４Ｉ／Ｆ４１、デマルチプレクサ４２、デコーダ４３、チューナ部４４を制御する。すなわち、制御マイコン４６は、ＩＥＣ６１８８３にしたがったコネクションマネージメントに準拠して、１３９４パケット化部５０及び１３９４アンパケット化部５１に対して機器間の論理的な接続及び切断を管理するコネクション制御のための制御信号を送信して制御する。また、制御マイコン４６は、メモリ５２に保持されているデータを消去するための制御信号や、データに挿入するＤＩＴを、メモリ５２に送信して制御する。さらに、制御マイコン４６は、メモリ５２と切換スイッチ４５，５３に対して、ＩＥＥＥ１３９４シリアルバス６０を介して受信したデータをデコードするかチューナ部４４で受信したデータをモニタやスピーカ、ＶＴＲ或いは外部へと出力するかに応じて動作モードを変更するための制御信号を送信して制御するとともに、これらのデータをミュートするか否かを制御するための制御信号を切換スイッチ５４に送信して制御する。さらにまた、制御マイコン４６は、デマルチプレクサ４２からデータの変わり目を検出した結果を受信するとともに、チューナ部４４に対して、チューニング制御のための制御信号を送信して制御する。
【００３７】
このようなチューナ機器４０は、ＩＥＥＥ１３９４シリアルバス６０を介して外部からＭＰＥＧ−ＴＳを受信して上述した各種処理を施すとともに、チューナ部４４で受信したデータに各種処理を施し、得られたＭＰＥＧ−ＴＳをモニタやスピーカ、ＶＴＲ或いは外部へと出力する。
【００３８】
ＩＥＥＥ１３９４ネットワーク１０においては、データ記録再生メディア機器２０及びチューナ機器４０の制御マイコン２４及び制御マイコン４６が、それぞれのメモリ２９，５２に対して、コンテンツの時間軸やサービスが変化した場合に上述したＤＩＴを送信し、このＤＩＴをデータに挿入する。このＤＩＴとは、欧州ディジタル放送であるＤＶＢ（Digital Video Broadcasting）システムで規定されているサービス情報（Service Information）の一種である。このＤＩＴは、トランジション・フラグ（transition_flag；以下、ｔｆと略記する。）という１ビットのフラグをシンタックス（syntax）として有する。
【００３９】
ｔｆは、ＭＰＥＧ−ＴＳにおける状態遷移の種類を示す。ｔｆは、１である場合には、状態遷移が、ＭＰＥＧ−ＴＳにおけるソースデータが変化したために生じたことを示す。このソースデータの変化は、ＭＰＥＧ−ＴＳ自体の変化であり得るとともに、例えば、時間シフトの場合のように、ＭＰＥＧ−ＴＳにおける位置の変化でもあり得る。すなわち、ｔｆは、１である場合には、ソースデータが非連続であることを示すものである。また、ｔｆは、０である場合には、状態遷移が、選択のみの変化のために生じたことを示す。すなわち、データが、同一の位置で同一のＴＳ内に滞在しており、連続していることを示す。
【００４０】
このようなＤＩＴをデータに挿入する方法について、ＤＩＴを挿入すべき場合にわけて説明する。
【００４１】
まず、データにＤＩＴを挿入して送信すべき場合としては、記録媒体に記録されているＤＩＴを再生しているときが挙げられる。具体的には、例えば、データ記録再生メディア機器２０の記録媒体に記録されている不連続なＭＰＥＧ−ＴＳに付随しているＤＩＴを再生しているときである。
【００４２】
このような場合、チューナ機器４０は、ＩＥＥＥ１３９４シリアルバス６０を介してデータ記録再生メディア機器２０から受信してアンパケット化したデータに対して、チャンネルを切り換える際に、ＤＩＴを挿入する。
【００４３】
また、データにＤＩＴを挿入して送信すべき場合としては、データ出力開始時が挙げられる。具体的には、例えば、データ記録再生メディア機器２０が停止状態（Ｓｔｏｐ）から再生状態（playback；ＰＢ）へと動作モードを遷移させ、記録媒体に記録されているデータを出力開始する場合である。
【００４４】
このような場合、データ記録再生メディア機器２０における動作モード、データ記録再生メディア機器２０のコネクションマネージメントを行う部分におけるディジタル入出力モード（Digital Input Output Mode；以下、ＤＩＦモードと記す。）、データ記録再生メディア機器２０の制御マイコン２４からスイッチ２７に送られるミュート制御のための制御信号、ＭＰＥＧ−ＴＳパケットの時間変化は、それぞれ、図４に示すようなタイミングチャートで表される。すなわち、データ記録再生メディア機器２０は、ＤＩＦモードが入力（ＩＮ）から出力（ＯＵＴ）になると、データの論理的な出入口である自らの出力プラグ（Output Plug Control Register；以下、ｏＰＣＲと略記する。）におけるブロードキャストコネクションカウンタ（Broadcast Connection Counter；以下、Ｂｃｃと略記する。）又はポイント・トゥ・ポイント・コネクションカウンタ（Point to Point Connection Counter；以下、Ｐｃｃと略記する。）を０から１に設定してコネクション接続状態とする。そして、データ記録再生メディア機器２０は、ミュート解除前に、ｔｆ＝１のＤＩＴを１つ挿入する。なお、同図中におけるＥｍｐｔｙとは、空パケットを示すものである。
【００４５】
また、この場合は、コネクション接続状態のときのデータ出力開始時も含まれる。具体的には、例えば、データ記録再生メディア機器２０がダビング中において停止状態から再生状態へと動作モードを遷移させ、記録媒体に記録されているデータを出力開始する場合である。
【００４６】
このような場合にも、データ記録再生メディア機器２０は、ミュート解除前に、ｔｆ＝１のＤＩＴを１つ挿入する。
【００４７】
このようなデータ記録再生メディア機器２０における一連の処理は、図５に示すようなものになる。すなわち、データ記録再生メディア機器２０は、ステップＳ１において、制御マイコン２４からスイッチ２７に対して制御信号を送信し、ＩＥＥＥ１３９４Ｉ／Ｆ２３へデータが入力されないように、ミュートがＯＮの状態にするとともに、制御マイコン２４からＩＥＥＥ１３９４Ｉ／Ｆ２３におけるメモリ２９に対して制御信号を送信し、メモリ２９に保持されているデータをクリアする。
【００４８】
次に、データ記録再生メディア機器２０は、ステップＳ２において、動作モードが一時停止状態（Ｐａｕｓｅ）又は例えば、再生一時停止（ＰＢｐａｕｓｅ）、早巻き（Ｃｕｅ）、早巻戻し（Ｒｅｖｉｅｗ）、スロー再生（Ｓｌｏｗ）といった可変速再生状態であるかを判別する。
【００４９】
ここで、一時停止状態又は可変速状態である場合には、データ記録再生メディア機器２０は、ステップＳ５において、ｏＰＣＲでＢｃｃ又はＰｃｃが１以上であるか否か、すなわち、コネクション接続状態であるか否かを判別する。
【００５０】
ここで、ｏＰＣＲでＢｃｃ及びＰｃｃがともに０であった場合には、データ記録再生メディア機器２０は、ステップＳ７の処理へと移行する。
【００５１】
一方、ｏＰＣＲでＢｃｃ又はＰｃｃが１以上であった場合には、データ記録再生メディア機器２０は、ステップＳ６の処理へと移行する。
【００５２】
また、データ記録再生メディア機器２０は、ステップＳ２において一時停止状態又は可変速状態でないと判別した場合には、ステップＳ３において、ｏＰＣＲでＢｃｃ及びＰｃｃがともに０であるか否かを判別する。
【００５３】
ここで、ｏＰＣＲでＢｃｃ又はＰｃｃが１以上であった場合には、データ記録再生メディア機器２０は、ステップＳ６の処理へと移行する。
【００５４】
一方、ｏＰＣＲでＢｃｃ及びＰｃｃがともに０であった場合には、データ記録再生メディア機器２０は、ステップＳ４において、ｏＰＣＲにおけるＢｃｃ又はＰｃｃに１を加算する。
【００５５】
そして、データ記録再生メディア機器２０は、ステップＳ６において、制御マイコン２４からメモリ２９に対してｔｆ＝１のＤＩＴを送信し、このＤＩＴをデータに挿入する。
【００５６】
データ記録再生メディア機器２０は、ステップＳ７において、再生状態に遷移した後、ステップＳ８において、制御マイコン２４からスイッチ２７に対して制御信号を送信し、ＩＥＥＥ１３９４Ｉ／Ｆ２３へデータが入力されるように、ミュートがＯＦＦの状態にし、一連の処理を終了する。
【００５７】
なお、データ記録再生メディア機器２０においては、ＤＩＦモードが出力であって、リモート制御により自らのｏＰＣＲがＢｃｃ＝０又はＰｃｃ＝０に設定された場合には、ＤＩＴを挿入しないようにする。
【００５８】
このような一連の処理によって、データ記録再生メディア機器２０は、上述したタイミングにおいてＤＩＴを挿入する。データ記録再生メディア機器２０は、ＤＩＴが挿入されたデータを１３９４パケット化部３０においてパケット化し、ＭＰＥＧ−ＴＳとしてＩＥＥＥ１３９４シリアルバス６０を介して外部へと出力する。
【００５９】
一方、チューナ機器４０は、データ記録再生メディア機器２０から送信されたＭＰＥＧ−ＴＳを受信し、図６に示すような一連の処理を行い再生出力する。
【００６０】
すなわち、チューナ機器４０は、同図に示すように、ステップＳ１１において、制御マイコン４６によって、デコーダ４３と図示しないＤ／Ａ（Digital to Analog）コンバータとの入力段及び出力段をミュートがＯＮの状態にするように指示し、異常な映像や音声の出力処理を一時停止するとともに、デマルチプレクサ４２の入力段及び出力段をミュートがＯＮの状態にするように指示し、異常なストリームが入力されないようにする。
【００６１】
次に、チューナ機器４０は、ステップＳ１２において、制御マイコン４６からＩＥＥＥ１３９４Ｉ／Ｆ４１におけるメモリ５２に対して制御信号を送信し、メモリ５２に保持されているデータをクリアする。なお、ここでは、データの加工等のためにチューナ機器４０の各部が使用する図示しないメモリがある場合には、それらのメモリもクリアする。
【００６２】
また、チューナ機器４０は、ステップＳ１３において、必要に応じて、各部の初期化又は一時停止状態から復帰した際に必要となるデータの設定を行う。
【００６３】
そして、チューナ機器４０は、ステップＳ１４において、制御マイコン４６によって、デマルチプレクサ４２の入力段をミュートがＯＦＦの状態にするように指示し、１３９４アンパケット化部５１においてアンパケット化されて入力されてくるストリームの同期バイトを検出した後、ストリームが安定して入力していることを確認する。
【００６４】
さらに、チューナ機器４０は、ステップＳ１５において、制御マイコン４６によって、デマルチプレクサ４２の出力段とデコーダ４３の出力段とをミュートがＯＦＦの状態にするように指示し、デコーダ４３に入力されているストリームが安定してデコードされていることを確認する。
【００６５】
そして、チューナ機器４０は、ステップＳ１６において、デコーダ４３の出力段と、Ｄ／Ａコンバータの入力段及び出力段とをミュートがＯＦＦの状態にするように指示して、モニタやスピーカ、ＶＴＲ等の接続されている電子機器に対してデータを再び出力し、正常な映像や音声の再生を再開する。
【００６６】
このようにすることによって、チューナ機器４０は、制御マイコン４６の制御のもとに適切にデータをデコードすることができ、デマルチプレクサ４２やデコーダ４３等の各部がハングアップしてしまうことがなく、ノイズ画を表示したり、スピーカを破壊してしまうような異常音を出力することがなくなる。
【００６７】
つぎに、データにＤＩＴを挿入して送信すべき場合として挙げられるデータ出力停止時について説明する。具体的には、例えば、データ記録再生メディア機器２０が再生状態から停止状態へと動作モードを遷移させる場合である。
【００６８】
このような場合、データ記録再生メディア機器２０における動作モード、データ記録再生メディア機器２０におけるＤＩＦモード、データ記録再生メディア機器２０の制御マイコン２４からスイッチ２７に送られるミュート制御のための制御信号、ＭＰＥＧ−ＴＳパケットの時間変化は、それぞれ、図７に示すようなタイミングチャートで表される。すなわち、データ記録再生メディア機器２０は、ＤＩＦモードが出力から入力になると、ミュート設定してから自らのｏＰＣＲにおけるＢｃｃ＞０又はＰｃｃ＞０を０に設定する前に、ｔｆ＝１のＤＩＴを１つ挿入する。
【００６９】
また、この場合は、コネクション接続状態のときのデータ出力停止時も含まれる。具体的には、例えば、データ記録再生メディア機器２０がダビング中において再生状態から停止状態へと動作モードを遷移させる場合である。
【００７０】
このような場合にも、データ記録再生メディア機器２０は、ｔｆ＝１のＤＩＴを１つ挿入する。
【００７１】
このようなデータ記録再生メディア機器２０における一連の処理は、図８に示すようなものになる。すなわち、データ記録再生メディア機器２０は、ステップＳ２１において、制御マイコン２４からスイッチ２７に対して制御信号を送信し、ＩＥＥＥ１３９４Ｉ／Ｆ２３へデータが入力されないように、ミュートがＯＮの状態にするとともに、制御マイコン２４からＩＥＥＥ１３９４Ｉ／Ｆ２３におけるメモリ２９に対して制御信号を送信し、メモリ２９に保持されているデータをクリアする。
【００７２】
次に、データ記録再生メディア機器２０は、ステップＳ２２において、動作モードが再生状態であるかを判別する。
【００７３】
ここで、再生状態でない場合には、データ記録再生メディア機器２０は、ステップＳ２６において、ｏＰＣＲでＢｃｃ又はＰｃｃが１以上であるか否か、すなわち、コネクション接続状態であるか否かを判別する。
【００７４】
ここで、ｏＰＣＲでＢｃｃ及びＰｃｃがともに０であった場合には、データ記録再生メディア機器２０は、ステップＳ２８の処理へと移行する。
【００７５】
一方、ｏＰＣＲでＢｃｃ又はＰｃｃが１以上であった場合には、データ記録再生メディア機器２０は、ステップＳ２７において、ｏＰＣＲにおけるＢｃｃ又はＰｃｃから１を減算する。
【００７６】
また、データ記録再生メディア機器２０は、ステップＳ２２において再生状態であると判別した場合には、ステップＳ２３において、ｏＰＣＲでＢｃｃ又はＰｃｃが１以上であるか否かを判別する。
【００７７】
ここで、ｏＰＣＲでＢｃｃ及びＰｃｃがともに０であった場合には、データ記録再生メディア機器２０は、ステップＳ２８の処理へと移行する。
【００７８】
一方、ｏＰＣＲでＢｃｃ又はＰｃｃが１以上であった場合には、データ記録再生メディア機器２０は、ステップＳ２４において、制御マイコン２４からメモリ２９に対してｔｆ＝１のＤＩＴを送信し、このＤＩＴをデータに挿入する。
【００７９】
また、データ記録再生メディア機器２０は、ステップＳ２５において、ｏＰＣＲにおけるＢｃｃ又はＰｃｃから１を減算する。
【００８０】
そして、データ記録再生メディア機器２０は、ステップＳ２８において、停止状態に遷移した後、ステップＳ２９において、制御マイコン２４からスイッチ２７に対して制御信号を送信し、ＩＥＥＥ１３９４Ｉ／Ｆ２３へデータが入力されるように、ミュートがＯＦＦの状態にし、一連の処理を終了する。
【００８１】
なお、データ記録再生メディア機器２０においては、このような処理を、動作モードが再生状態から早巻き状態又は早巻戻し状態に遷移する場合にも適用できる。
【００８２】
このような一連の処理によって、データ記録再生メディア機器２０は、上述したタイミングにおいてＤＩＴを挿入する。データ記録再生メディア機器２０は、再生していたデータが停止されたことを示すＤＩＴが挿入されたデータを１３９４パケット化部３０においてパケット化し、ＭＰＥＧ−ＴＳとしてＩＥＥＥ１３９４シリアルバス６０を介して外部へと出力する。
【００８３】
そして、ＭＰＥＧ−ＴＳを受信したチューナ機器４０は、先に図６に示したような一連の処理を行い、データを再生する。このようにすることによって、チューナ機器４０は、制御マイコン４６の制御のもとに適切にデータをデコードすることができ、突然の再生状態から停止状態への遷移にもデマルチプレクサ４２やデコーダ４３等の各部がハングアップしてしまうことがなく、ノイズ画を表示したり、スピーカを破壊してしまうような異常音を出力することがなくなる。
【００８４】
つぎに、データにＤＩＴを挿入して送信すべき場合として挙げられるＩＥＣ６１８８３にしたがったコネクションルールに基づいたデータ出力乗っ取り時について説明する。なお、ここでは、データ記録再生メディア機器２０が、チューナ機器４０が使用しているデフォルトチャンネルを乗っ取り出力する場合について述べる。
【００８５】
このような場合、データ記録再生メディア機器２０における動作モード、データ記録再生メディア機器２０におけるＤＩＦモード、チューナ機器４０のｏＰＣＲのＢｃｃ、ＭＰＥＧ−ＴＳパケットの時間変化は、それぞれ、図９に示すようなタイミングチャートで表される。すなわち、データ記録再生メディア機器２０は、チューナ機器４０のｏＰＣＲのＢｃｃを１から０に設定し、さらに、自らのｏＰＣＲにおけるＢｃｃ又はＰｃｃを０から１に設定する。そして、データ記録再生メディア機器２０は、ミュート解除前に、ｔｆ＝１のＤＩＴを１つ挿入する。
【００８６】
このようなデータ記録再生メディア機器２０における一連の処理は、図１０に示すようなものになる。すなわち、データ記録再生メディア機器２０は、ステップＳ３１において、制御マイコン２４からスイッチ２７に対して制御信号を送信し、ＩＥＥＥ１３９４Ｉ／Ｆ２３へデータが入力されないように、ミュートがＯＮの状態にするとともに、制御マイコン２４からＩＥＥＥ１３９４Ｉ／Ｆ２３におけるメモリ２９に対して制御信号を送信し、メモリ２９に保持されているデータをクリアする。
【００８７】
次に、データ記録再生メディア機器２０は、ステップＳ３２において、動作モードを再生及び出力状態にする。
【００８８】
また、データ記録再生メディア機器２０は、ステップＳ３３において、チューナ機器４０のｏＰＣＲのＢｃｃを１から０に設定する。
【００８９】
さらに、データ記録再生メディア機器２０は、ステップＳ３４において、自らのｏＰＣＲのＢｃｃ又はＰｃｃを０から１に設定する。
【００９０】
そして、データ記録再生メディア機器２０は、ステップＳ３５において、制御マイコン２４からメモリ２９に対してｔｆ＝１のＤＩＴを送信し、このＤＩＴをデータに挿入する。
【００９１】
データ記録再生メディア機器２０は、ステップＳ３６において、制御マイコン２４からスイッチ２７に対して制御信号を送信し、ＩＥＥＥ１３９４Ｉ／Ｆ２３へデータが入力されるように、ミュートがＯＦＦの状態にし、一連の処理を終了する。
【００９２】
このような一連の処理によって、データ記録再生メディア機器２０は、上述したタイミングにおいて２つのＤＩＴをデータに挿入し、１３９４パケット化部３０においてパケット化して、ＭＰＥＧ−ＴＳとしてＩＥＥＥ１３９４シリアルバス６０を介して外部へと出力する。
【００９３】
このＭＰＥＧ−ＴＳを受信したチューナ機器４０は、先に図６に示したような一連の処理を行い、データを再生する。このようにすることによって、チューナ機器４０は、制御マイコン４６の制御のもとに適切にデータをデコードすることができ、突然のサービス変更にもデマルチプレクサ４２やデコーダ４３等の各部がハングアップしてしまうことがなく、ノイズ画を表示したり、スピーカを破壊してしまうような異常音を出力することがなくなる。
【００９４】
つぎに、データにＤＩＴを挿入して送信すべき場合として挙げられるデータ記録再生メディア機器２０から出力されたＭＰＥＧ−ＴＳが可変速再生に対応できない場合について説明する。
【００９５】
このような場合、データ記録再生メディア機器２０は、そのメカモードが可変速再生状態に遷移するとき、ＤＩＴを挿入し、可変速再生中には、ミュート設定して空パケットを出力する。具体的には、データ記録再生メディア機器２０は、通常の再生状態から再生一時停止、早巻き、早巻戻し、スロー再生といった可変速再生状態へと遷移する際に、ｔｆ＝１のＤＩＴを１つデータに挿入する。一方、データ記録再生メディア機器２０は、再生一時停止、早巻き、早巻戻し、スロー再生といった可変速再生状態から通常の再生状態へと遷移する際にも、ｔｆ＝１のＤＩＴを１つデータに挿入する。ただし、データ記録再生メディア機器２０においては、再生一時停止、早巻き、早巻戻し、スロー再生といった可変速再生状態から停止状態へと遷移する際には、ＤＩＴを挿入する必要はない。
【００９６】
このようなデータ記録再生メディア機器２０における一連の処理は、図１１に示すようなものになる。すなわち、データ記録再生メディア機器２０は、ステップＳ４１において、制御マイコン２４からスイッチ２７に対して制御信号を送信し、ＩＥＥＥ１３９４Ｉ／Ｆ２３へデータが入力されないように、ミュートがＯＮの状態にするとともに、制御マイコン２４からＩＥＥＥ１３９４Ｉ／Ｆ２３におけるメモリ２９に対して制御信号を送信し、メモリ２９に保持されているデータをクリアする。
【００９７】
次に、データ記録再生メディア機器２０は、ステップＳ４２において、動作モードが再生状態であるかを判別する。
【００９８】
ここで、再生状態である場合には、データ記録再生メディア機器２０は、ステップＳ４６において、ｏＰＣＲでＢｃｃ又はＰｃｃが１以上であるか否か、すなわち、コネクション接続状態であるか否かを判別する。
【００９９】
ここで、ｏＰＣＲでＢｃｃ及びＰｃｃがともに０であった場合には、データ記録再生メディア機器２０は、ステップＳ４８の処理へと移行する。
【０１００】
一方、ｏＰＣＲでＢｃｃ又はＰｃｃが１以上であった場合には、データ記録再生メディア機器２０は、ステップＳ４７において、制御マイコン２４からメモリ２９に対してｔｆ＝１のＤＩＴを送信して、このＤＩＴをデータに挿入し、ステップＳ４８の処理へと移行する。
【０１０１】
また、データ記録再生メディア機器２０は、ステップＳ４２において再生状態でなく停止状態であると判別した場合には、ステップＳ４３において、ｏＰＣＲでＢｃｃ又はＰｃｃが１以上であるか否かを判別する。
【０１０２】
ここで、ｏＰＣＲでＢｃｃ及びＰｃｃがともに０であった場合には、データ記録再生メディア機器２０は、ステップＳ４８の処理へと移行する。
【０１０３】
一方、ｏＰＣＲでＢｃｃ又はＰｃｃが１以上であった場合には、データ記録再生メディア機器２０は、ステップＳ４４において、制御マイコン２４からメモリ２９に対してｔｆ＝１のＤＩＴを送信し、このＤＩＴをデータに挿入する。
【０１０４】
また、データ記録再生メディア機器２０は、ステップＳ４５において、ｏＰＣＲにおけるＢｃｃ又はＰｃｃから１を減算する。
【０１０５】
そして、データ記録再生メディア機器２０は、ステップＳ４８において、可変速再生状態に遷移した後、ステップＳ４９において、制御マイコン２４からスイッチ２７に対して制御信号を送信し、ＩＥＥＥ１３９４Ｉ／Ｆ２３へデータが入力されるように、ミュートがＯＦＦの状態にし、一連の処理を終了する。
【０１０６】
なお、データ記録再生メディア機器２０においては、このような処理を、動作モードが一時停止状態に遷移する場合にも適用できる。
【０１０７】
このような一連の処理によって、データ記録再生メディア機器２０は、上述したタイミングにおいてＤＩＴを挿入する。データ記録再生メディア機器２０は、ＤＩＴが挿入されたデータを１３９４パケット化部３０においてパケット化し、ＭＰＥＧ−ＴＳとしてＩＥＥＥ１３９４シリアルバス６０を介して外部へと出力する。
【０１０８】
そして、ＭＰＥＧ−ＴＳを受信したチューナ機器４０は、先に図６に示したような一連の処理を行い、データを再生する。このようにすることによって、チューナ機器４０は、制御マイコン４６の制御のもとに適切にデータをデコードすることができ、突然の可変速再生状態又は一時停止状態への遷移にもデマルチプレクサ４２やデコーダ４３等の各部がハングアップしてしまうことがなく、ノイズ画を表示したり、スピーカを破壊してしまうような異常音を出力することがなくなる。
【０１０９】
つぎに、データにＤＩＴを挿入して送信すべき場合として挙げられるコンテンツが変化する変わり目がある場合について説明する。具体的には、例えば、ＭＰＥＧコンテンツの継ぎとりや、ＭＰＥＧコンテンツの上書き記録といったように、２つの互いに異なる番組等のプログラムＡ及びプログラムＢのディジタルコンテンツが連続してデータ記録再生メディア機器２０の記録媒体に記録されているときである。
【０１１０】
このような場合、データ記録再生メディア機器２０の記録媒体に記録されているＭＰＥＧコンテンツ、ＭＰＥＧ−ＴＳパケットの時間変化、データ記録再生メディア機器２０の制御マイコン２４からスイッチ２７に送られるミュート制御のための制御信号は、それぞれ、図１２に示すようなタイミングチャートで表される。すなわち、データ記録再生メディア機器２０は、プログラムＡからプログラムＢへと遷移する際に、ｔｆ＝１のＤＩＴを１つ挿入する。
【０１１１】
また、データ記録再生メディア機器２０は、記録媒体におけるＭＰＥＧコンテンツの変わり目が、例えば、コンテンツと未記録部分との境界である場合や、Ｄ−ＶＨＳのようにディジタルコンテンツ及びアナログコンテンツの両方を記録可能であって、これらのコンテンツの記録部分が混在している際のディジタルコンテンツとアナログコンテンツとの境界である場合にもＤＩＴを挿入する。
【０１１２】
このような場合、データ記録再生メディア機器２０の記録媒体に記録されているＭＰＥＧコンテンツ、ＭＰＥＧ−ＴＳパケットの時間変化、データ記録再生メディア機器２０の制御マイコン２４からスイッチ２７に送られるミュート制御のための制御信号は、それぞれ、図１３に示すようなタイミングチャートで表される。すなわち、データ記録再生メディア機器２０は、記録媒体において、ディジタルコンテンツが記録されている部分から、未記録部分やアナログコンテンツが記録されている部分へと再生する際には、ｔｆ＝１のＤＩＴを１つ挿入する。また、データ記録再生メディア機器２０は、記録媒体において、未記録部分やアナログコンテンツが記録されている部分から、ディジタルコンテンツが記録されている部分へと再生する際には、ｔｆ＝１のＤＩＴを１つ挿入する。
【０１１３】
このようなデータ記録再生メディア機器２０における一連の処理は、図１４に示すようなものになる。すなわち、データ記録再生メディア機器２０は、ステップＳ５１において、制御マイコン２４からスイッチ２７に対して制御信号を送信し、ＩＥＥＥ１３９４Ｉ／Ｆ２３へデータが入力されないように、ミュートがＯＮの状態にするとともに、制御マイコン２４からＩＥＥＥ１３９４Ｉ／Ｆ２３におけるメモリ２９に対して制御信号を送信し、メモリ２９に保持されているデータをクリアする。
【０１１４】
次に、データ記録再生メディア機器２０は、ステップＳ５２において、ディジタルコンテンツの変わり目があるか否かを判別する。
【０１１５】
ここで、ディジタルコンテンツの変わり目がある場合には、データ記録再生メディア機器２０は、ステップＳ５６において、制御マイコン２４からメモリ２９に対してｔｆ＝１のＤＩＴを送信して、このＤＩＴをデータに挿入し、ステップＳ５７の処理へと移行する。
【０１１６】
一方、ディジタルコンテンツの変わり目がない場合には、データ記録再生メディア機器２０は、ステップＳ５３において、記録媒体において、ディジタルコンテンツの部分から、未記録部分やアナログコンテンツの部分へと連続して記録されているか否かを判別する。
【０１１７】
ここで、ディジタルコンテンツの部分から、未記録部分やアナログコンテンツの部分へと連続して記録されている場合には、データ記録再生メディア機器２０は、ステップＳ５５において、制御マイコン２４からメモリ２９に対してｔｆ＝１のＤＩＴを送信して、このＤＩＴをデータに挿入し、ステップＳ５７の処理へと移行する。
【０１１８】
一方、未記録部分やアナログコンテンツの部分から、ディジタルコンテンツの部分へと連続して記録されている場合にも、データ記録再生メディア機器２０は、ステップＳ５４において、制御マイコン２４からメモリ２９に対してｔｆ＝１のＤＩＴを送信し、このＤＩＴをデータに挿入する。
【０１１９】
そして、データ記録再生メディア機器２０は、ステップＳ５７において、制御マイコン２４からスイッチ２７に対して制御信号を送信し、ＩＥＥＥ１３９４Ｉ／Ｆ２３へデータが入力されるように、ミュートがＯＦＦの状態にし、一連の処理を終了する。
【０１２０】
このような一連の処理によって、データ記録再生メディア機器２０は、ＭＰＥＧコンテンツの変わり目に応じて、上述したタイミングにおいてＤＩＴをデータに挿入し、１３９４パケット化部３０においてパケット化して、ＭＰＥＧ−ＴＳとしてＩＥＥＥ１３９４シリアルバス６０を介して外部へと出力する。
【０１２１】
このＭＰＥＧ−ＴＳを受信したチューナ機器４０は、先に図６に示したような一連の処理を行い、データを再生する。このようにすることによって、チューナ機器４０は、制御マイコン４６の制御のもとに適切にデータをデコードすることができ、突然のサービス変更にもデマルチプレクサ４２やデコーダ４３等の各部がハングアップしてしまうことがなく、ノイズ画を表示したり、スピーカを破壊してしまうような異常音を出力することがなくなる。
【０１２２】
つぎに、データにＤＩＴを挿入して送信すべき場合として挙げられるデータ記録開始時及びデータ記録停止時について説明する。具体的には、例えば、データ記録再生メディア機器２０が、停止状態から記録状態へと動作モードを遷移させる場合や、記録状態から停止状態へと動作モードを遷移させる場合である。
【０１２３】
このような場合、データ記録再生メディア機器２０は、記録媒体にデータを記録する際には、最初にｔｆ＝１のＤＩＴを１つ記録してから、データの記録を開始する。また、データ記録再生メディア機器２０は、記録媒体へのデータの記録を停止又は一時停止する際には、記録されたデータの最後にｔｆ＝１のＤＩＴを１つ記録してから、停止状態又は一時停止状態へと遷移する。
【０１２４】
このような処理を行うことによって、データ記録再生メディア機器２０は、上述したタイミングにおいてＤＩＴを挿入する。そして、データ記録再生メディア機器２０は、このデータを再生する際には、１３９４パケット化部３０においてデータをパケット化して、ＭＰＥＧ−ＴＳとしてＩＥＥＥ１３９４シリアルバス６０を介して外部へと出力する。
【０１２５】
ＭＰＥＧ−ＴＳを受信したチューナ機器４０は、先に図６に示したような一連の処理を行い、データを再生する。このようにすることによって、チューナ機器４０は、制御マイコン４６の制御のもとに適切にデータをデコードすることができ、デマルチプレクサ４２やデコーダ４３等の各部がハングアップしてしまうことがなく、ノイズ画を表示したり、スピーカを破壊してしまうような異常音を出力することがなくなる。
【０１２６】
以上のように、データ記録再生メディア機器２０は、動作モードやコンテンツの変化に応じて、データにＤＩＴを挿入する。なお、これらの処理は、チューナ機器４０にも適用できるものであることはいうまでもない。
【０１２７】
また、チューナ機器４０は、例えば衛星やケーブル等を経由してチューナ部４４で受信しているサービスを選局された異なるサービスに変え、そのサービスのストリームをＩＥＥＥ１３９４シリアルバス６０へと出力する場合に、データにＤＩＴを挿入する。
【０１２８】
すなわち、チューナ機器４０は、チューナ部４４で受信したサービスの変化に応じて、制御マイコン４６からメモリ５２に対してＤＩＴを送信してデータに挿入する。そして、チューナ機器４０は、ＤＩＴが挿入されたデータを１３９４パケット化部５０でパケット化し、ＭＰＥＧ−ＴＳとしてＩＥＥＥ１３９４シリアルバス６０上に出力する。
【０１２９】
このようにすることによって、データ記録再生メディア機器２０がこのＭＰＥＧ−ＴＳを受信した場合には、データ記録再生メディア機器２０は、制御マイコン２４の制御のもとに安定したデータを記録媒体に記録することができる。
【０１３０】
以上説明してきたように、本発明の実施の形態として示すＩＥＥＥ１３９４ネットワーク１０においては、データにＤＩＴを挿入することによって、データを受信する電子機器がハングアップすることを回避することができる。したがって、ユーザは、ノイズ画といった目障りな映像や、スピーカを破壊してしまうような異常音を体験することがなくなる。
【０１３１】
また、本発明を適用することで、上述したＤＩＴを挿入するタイミング等のＤＩＴに関する運用方法のガイドラインを定めることができる。
【０１３２】
なお、本発明は、上述した実施の形態に限定されるものではなく、例えば、ＩＥＥＥ１３９４ネットワークのみではなく、いわゆるイーサネットやＵＳＢ（Universal Serial Bus）等のディジタルシリアルバスで構築されたネットワークにも適用できるものである。
【０１３３】
また、本発明は、上述したデータ記録再生メディア機器２０やチューナ機器４０のみに適用可能なものではなく、例えば家電機器に外部通信機能を備えたものやコンピュータのように、ＭＰＥＧ−ＴＳを送受信できる電子機器も適用できるものである。
【０１３４】
さらに、本発明は、受信したＤＩＴを処理するＭＰＥＧビューア機器も対象とすることができる。
【０１３５】
その他、本発明は、その趣旨を逸脱しない範囲で適宜変更が可能であることはいうまでもない。
【産業上の利用可能性】
【０１３６】
以上詳細に説明したように、本発明の実施の形態のデータ伝送方法は、シリアルバスインターフェースにより複数の電子機器が接続されて構築されたネットワーク上でデータ送受信を行うデータ伝送方法であって、記録媒体に対して記録及び／又は再生するデータのコンテンツの時間軸が変化する際に、データに非連続情報データを挿入することによって、このデータを外部へと出力した際に、このデータを受信した電子機器が、データのコンテンツの時間軸が変化していることを知ることができ、各部がハングアップしてしまうことを回避することが可能となるとともに、ノイズ画を表示したり、スピーカを破壊してしまうような異常音を出力することも回避可能となる。
【０１３７】
また、本発明の実施の形態のデータ伝送方法は、シリアルバスインターフェースにより複数の電子機器が接続されて構築されたネットワーク上でデータ送受信を行うデータ伝送方法であって、シリアルバスインターフェースとは異なる通信媒体を介して外部から受信したデータのコンテンツの時間軸が変化する際に、データに非連続情報データを挿入することによって、このデータをシリアルバスインターフェースを介して外部へと出力した際に、このデータを受信した電子機器が、データのコンテンツの時間軸が変化していることを知ることができる。したがって、本発明にかかるデータ伝送方法は、データを受信した電子機器の各部がハングアップしてしまうことを回避することができ、ノイズ画を表示したり、スピーカを破壊してしまうような異常音を出力することも回避することができる。
【０１３８】
さらに、本発明の実施の形態の電子機器は、シリアルバスインターフェースにより複数の電子機器が接続されて構築されたネットワーク上でデータ送受信を行う電子機器であって、記録媒体に記録されたデータの非連続情報データを生成する生成手段を備え、データのコンテンツの時間軸が変化する際に、データに、この生成手段により生成した非連続情報データを挿入するため、このデータを外部へと出力した際に、このデータを受信した他の電子機器が、データのコンテンツの時間軸が変化していることを知ることができ、各部がハングアップしてしまうことを回避することができるとともに、ノイズ画を表示したり、スピーカを破壊してしまうような異常音を出力することも回避することができる。
【０１３９】
さらにまた、本発明の実施の形態の電子機器は、シリアルバスインターフェースにより複数の電子機器が接続されて構築されたネットワーク上でデータ送受信を行う電子機器であって、シリアルバスインターフェースとは異なる通信媒体を介して外部から受信したデータの同調をとる同調手段と、シリアルバスインターフェース及び／又は同調手段を介して受信したデータの非連続情報データを生成する生成手段とを備え、同調手段を介して受信したデータのコンテンツの時間軸が変化する際に、データに、生成手段によって生成した非連続情報データを挿入するため、このデータをシリアルバスインターフェースを介して外部へと出力した際に、このデータを受信した電子機器が、データのコンテンツの時間軸が変化していることを知ることができる。したがって、本発明にかかる電子機器は、データを受信した電子機器の各部がハングアップしてしまうことを回避することを可能とするとともに、ノイズ画を表示したり、スピーカを破壊してしまうような異常音を出力することも回避することが可能となる。
【符号の説明】
【０１４０】
１０  ＩＥＥＥ１３９４ネットワーク、  ２０  データ記録再生メディア機器、  ２１  記録再生制御部、  ２２  データ検出部、  ２３，４１  ＩＥＥＥ１３９４Ｉ／Ｆ、  ２４，４６  制御マイコン、  ４０  チューナ機器、  ４２  デマルチプレクサ、  ４３  デコーダ、  ４４  チューナ部、  ６０  ＩＥＥＥ１３９４シリアルバス
【図１】
2010263650.tif 000003
【図２】
2010263650.tif 000004
【図３】
2010263650.tif 000005
【図４】
2010263650.tif 000006
【図５】
2010263650.tif 000007
【図６】
2010263650.tif 000008
【図７】
2010263650.tif 000009
【図８】
2010263650.tif 000010
【図９】
2010263650.tif 000011
【図１０】
2010263650.tif 000012
【図１１】
2010263650.tif 000013
【図１２】
2010263650.tif 000014
【図１３】
2010263650.tif 000015
【図１４】
2010263650.tif 000016